(57)【要約】【課題】ユーザーの手を煩わせることなく、リップシンクのずれを発生させないようにするとともに、不必要な処理をしないようにしたシステム、装置を提供する。【解決手段】アンプ装置１（Ａ）は、１つ以上の映像入力端子Ｖｉｎ１と１つ以上の音声入力端子Ａｉｎ１とを備えており、外部機器３から映像信号や音声信号の供給を受けることができるようにされている。制御部１６などの判別手段により、処理すべき映像信号が存在すると判別された場合には、セレクタＳＬ４、ＳＬ５によって、処理すべき映像信号と音声信号とがテレビ受像機２に供給するように信号の供給経路が選択され、音声データについてテレビ受像機２の音声遅延回路１２２で遅延処理する。【選択図】図１
2005260653.tif 000002
【特許請求の範囲】
【請求項１】
映像信号と音声信号とから再生用映像信号と再生用音声信号とを形成して出力する映像音声処理装置と、音声信号のアンプ装置とからなる映像音声再生システムであって、
前記映像音声処理装置は、
前記映像信号と前記音声信号とのうち、処理に時間のかからない信号を処理に時間のかかる信号の処理時間に応じて遅延させる遅延手段と、
前記アンプ装置からの映像信号の入力端子と、
前記アンプ装置からの音声信号の入力端子と、
前記遅延手段で処理された信号が音声信号である場合に、処理後の音声信号を前記アンプ装置に出力するための出力端子と
を備え、
前記アンプ装置は、
外部機器からの映像信号を受け付ける１つ以上の映像入力端子と、
外部機器からの音声信号を受け付ける１つ以上の音声入力端子と、
映像信号を前記映像音声処理装置に対して出力するための映像出力端子と、
音声信号を前記映像音声処理装置に対して出力するための音声出力端子と、
処理すべき映像信号が存在するか否かを判別する判別手段と、
前記判別手段により、処理すべき映像信号が存在すると判別された場合に、映像信号と音声信号とを前記映像出力端子と前記音声出力端子とを通じて前記映像音声処理装置に提供するようにし、映像信号が存在しないと判別された場合には、音声信号を自機内で処理するように、信号の提供先を選択する選択手段と、
前記映像音声処理装置で遅延処理された音声信号を受け付ける入力端子と
を備えることを特徴とする映像音声再生システム。
【請求項２】
請求項１に記載の映像音声再生システムであって、
前記アンプ装置において、
前記判別手段は、前記映像出力端子の前段に設けられ、映像信号の有無を検出することにより、処理すべき映像信号が存在するか否かを判別することを特徴とする映像音声再生システム。
【請求項３】
請求項１に記載の映像音声再生システムであって、
前記アンプ装置においては、
映像信号と音声信号との一方あるいは両方の供給経路の選択入力を受け付ける受付手段を備え、
前記判別手段は、前記受付手段を通じて受け付けた前記選択入力に基づいて、処理すべき映像信号が存在するか否かを判別することを特徴とする映像音声再生システム。
【請求項４】
請求項１に記載の映像音声再生システムであって、
前記アンプ装置において、
前記判別手段は、供給された信号に含まれる情報に基づいて、処理すべき映像信号が存在するか否かを判別することを特徴とする映像音声再生システム。
【請求項５】
請求項１に記載の映像音声再生システムであって、
前記アンプ装置は、
映像信号と音声信号との両方あるいは一方の再生が可能な１つ以上の信号再生手段と、
前記信号再生手段が動作するようにされた場合に、処理すべき映像信号が再生するようにされているか否かを判別する第２の判別手段と、
前記第２の判別手段により、処理すべき映像信号が再生するようにされていると判別された場合に、再生するようにされた映像信号と音声信号とを前記映像出力端子と前記音声出力端子とを通じて前記映像音声処理装置に提供するようにし、処理すべき映像信号は再生するようにされていないと判別された場合には、再生するようにされた音声信号を自機内で処理するように、信号の提供先を選択する第２の選択手段と
を備えることを特徴とする映像音声再生システム。
【請求項６】
請求項５に記載の映像音声再生システムであって、
前記アンプ装置において、
前記第２の判別手段は、前記映像出力端子の前段に設けられ、映像信号の有無を検出することにより、処理すべき映像信号が再生するようにされたか否かを判別することを特徴とする映像音声再生システム。
【請求項７】
請求項５に記載の映像音声再生システムであって、
前記アンプ装置においては、
映像信号と音声信号との一方あるいは両方の供給経路の選択入力を受け付ける受付手段を備え、
前記第２の判別手段は、前記受付手段を通じて受け付けた前記選択入力に基づいて、処理すべき映像信号が再生するようにされたか否かを判別することを特徴とする映像音声再生システム。
【請求項８】
請求項５に記載の映像音声再生システムであって、
前記アンプ装置において、
前記第２の判別手段は、供給された信号に含まれる情報に基づいて、処理すべき映像信号が再生するようにされたか否かを判別することを特徴とする映像音声再生システム。
【請求項９】
前記映像信号と前記音声信号とのうち、処理に時間のかからない信号を処理に時間のかかる信号の処理時間に応じて遅延させる遅延手段を備えた映像音声処理装置と接続される音声信号のアンプ装置であって、
外部機器からの映像信号を受け付ける１つ以上の映像入力端子と、
外部機器からの音声信号を受け付ける１つ以上の音声入力端子と、
映像信号を前記映像音声処理装置に対して出力するための映像出力端子と、
音声信号を前記映像音声処理装置に対して出力するための音声出力端子と、
処理すべき映像信号が存在するか否かを判別する判別手段と、
前記判別手段により、処理すべき映像信号が存在すると判別された場合に、映像信号と音声信号とを前記映像出力端子と前記音声出力端子とを通じて前記映像音声処理装置に提供するようにし、映像信号が存在しないと判別された場合には、音声信号を自機内で処理するように、信号の提供先を選択する選択手段と、
前記映像音声処理装置で遅延処理された音声信号を受け付ける入力端子と
を備えることを特徴とするアンプ装置。
【請求項１０】
請求項９に記載のアンプ装置であって、
前記判別手段は、前記映像出力端子の前段に設けられ、映像信号の有無を検出することにより、処理すべき映像信号が存在するか否かを判別することを特徴とするアンプ装置。
【請求項１１】
請求項９に記載のアンプ装置であって、
映像信号と音声信号との一方あるいは両方の供給経路の選択入力を受け付ける受付手段を備え、
前記判別手段は、前記受付手段を通じて受け付けた前記選択入力に基づいて、処理すべき映像信号が存在するか否かを判別することを特徴とするアンプ装置。
【請求項１２】
請求項９に記載のアンプ装置であって、
前記判別手段は、供給された信号に含まれる情報に基づいて、処理すべき映像信号が存在するか否かを判別することを特徴とするアンプ装置。
【請求項１３】
請求項９に記載のアンプ装置であって、
映像信号と音声信号との両方あるいは一方の再生が可能な１つ以上の信号再生手段と、
前記信号再生手段が動作するようにされた場合に、処理すべき映像信号が再生するようにされているか否かを判別する第２の判別手段と、
前記第２の判別手段により、処理すべき映像信号が再生するようにされていると判別された場合に、再生するようにされた映像信号と音声信号とを前記映像出力端子と前記音声出力端子とを通じて前記映像音声処理装置に提供するようにし、処理すべき映像信号は再生するようにされていないと判別された場合には、再生するようにされや音声信号を自機内で処理するように、信号の提供先を選択する第２の選択手段と
を備えることを特徴とするアンプ装置。
【請求項１４】
請求項１３に記載のアンプ装置であって、
前記第２の判別手段は、前記映像出力端子の前段に設けられ、映像信号の有無を検出することにより、処理すべき映像信号が再生するようにされたか否かを判別することを特徴とするアンプ装置。
【請求項１５】
請求項１３に記載のアンプ装置であって、
映像信号と音声信号との一方あるいは両方の供給経路の選択入力を受け付ける受付手段を備え、
前記第２の判別手段は、前記受付手段を通じて受け付けた前記選択入力に基づいて、処理すべき映像信号が再生するようにされたか否かを判別することを特徴とするアンプ装置。
【請求項１６】
請求項１３に記載のアンプ装置であって、
前記第２の判別手段は、供給された信号に含まれる情報に基づいて、処理すべき映像信号が再生するようにされたか否かを判別することを特徴とするアンプ装置。
【発明の詳細な説明】
【技術分野】
【０００１】
この発明は、例えば、テレビチューナなどの映像信号と音声信号とを処理する映像音声処理装置とアンプ装置とからなる映像音声再生システムおよびこの映像音声再生システムにおいて用いられるアンプ装置に関する。
【背景技術】
【０００２】
例えば、図１２Ａに示したように、デジタルテレビ放送を利用するためのテレビ受像機１００のテレビチューナ部１０１には、受信選局された放送チャンネルを通じて提供されるテレビ番組を視聴する場合に、映像の表示タイミングと音声の放音タイミングの同期（いわゆるリップシンク）がずれることを防止するため、音声遅延回路（Audio Delay Device）１０１２が搭載されたものが提供されている。
【０００３】
デジタルテレビ放送番組の映像データと音声データとでは、映像データの方が、データ量も多く、デコード処理も複雑なために、映像デコーダ１０１１におけるデコード処理に時間がかかる。そこで、図１２Ａに示したように、音声データの処理系に音声遅延回路１０１２を設けることによって、モニター部（表示素子）１０２におけるデジタルテレビ放送番組の映像の表示タイミングと、スピーカーＳＰにおけるデジタルテレビ放送番組の音声の放音タイミングとがずれることがないようにしている。
【０００４】
この場合、映像データについての処理も、音声データについての処理も、テレビ受像機１００内において完結するため、映像データについての処理時間を正確に把握し、音声遅延回路１０１２における音声データの遅延量（遅延時間）を正確に設定し、リップシンクのずれを発生させないようにすることができるようにされている。
【０００５】
また、図１２Ｂに示すように、ＤＶＤ（Digital Versatile Disc）プレーヤー３００を用い、ＤＶＤに記録された例えば映画などのコンテンツを再生して視聴する場合には、ＤＶＤプレーヤー３００から映像データＶｄと音声データＡｕとが同時に出力され、映像データＶｄはテレビ受像機１００に供給されて処理され、映像データに応じた映像がモニター部１０２の表示画面に表示するようにされ、音声データＡｕはオーディオアンプ装置２００において処理されて、スピーカーＳＰに供給するようにされる。
【０００６】
この図１２Ｂに示した構成の場合には、テレビチューナ部１０１の主に映像デコーダ１０１１においてかかる処理時間を考慮して、オーディオアンプ装置２００の音声遅延回路２０１において音声データに対して行う遅延処理の遅延量をユーザーが設定することができるようにされている。
【０００７】
この他、後に記す特許文献１には、リップシンクのずれ量（オフセット幅）をユーザーが調整できるようにした技術が開示されている。この特許文献１に記載された技術を用いることにより、発生しているリップシンクのずれをユーザー自身が適切に調整し、同期を取って処理すべき映像信号と音声信号とを適切なタイミングで処理して、映像の表示タイミングと音声の放音タイミングとがずれることがないようにすることができる。
【特許文献１】特開２００１−１０１８０３号公報
【発明の開示】
【発明が解決しようとする課題】
【０００８】
ところで、図１２Ｂに示したように、オーディオアンプ装置２００の音声遅延回路２０１に対してユーザーが音声データについての遅延量（遅延時間）を設定する方式の場合、遅延量の微妙な調整に、手間や時間がかかる場合があり面倒である。また、オーディオアンプ装置の扱いに慣れていないユーザーにとっては、音声データについての遅延量の設定作業や調整作業は難しいものとなってしまう。
【０００９】
また、オーディオアンプ装置２００の音声遅延回路２０１に対して、ユーザーが遅延量を設定したり調整したりするようにした場合には、全ての音声に対して音声遅延回路２０１により遅延処理が行われてしまう。したがって、映像を伴わない音楽ＣＤ（Compact Disc）に記録されている音楽を再生する場合にも、再生される音楽は音声遅延回路１０２によって遅延処理され、本来の放音タイミングよりも遅れてしまい、好ましくない。
【００１０】
以上のことにかんがみ、この発明は、ユーザーの手を煩わせることなく、リップシンクのずれを発生させないようにするとともに、不必要な場合には、リップシンクのずれを発生させないようにするための処理を行うことがないようにすることができる映像音声再生システムおよびアンプ装置を提供することを目的とする。
【課題を解決するための手段】
【００１１】
上記課題を解決するため、請求項１に記載の発明の映像音声再生システムは、
映像信号と音声信号とから再生用映像信号と再生用音声信号とを形成して出力する映像音声処理装置と、音声信号のアンプ装置とからなる映像音声再生システムであって、
前記映像音声処理装置は、
前記映像信号と前記音声信号とのうち、処理に時間のかからない信号を処理に時間のかかる信号の処理時間に応じて遅延させる遅延手段と、
前記アンプ装置からの映像信号の入力端子と、
前記アンプ装置からの音声信号の入力端子と、
前記遅延手段で処理された信号が音声信号である場合に、処理後の音声信号を前記アンプ装置に出力するための出力端子と
を備え、
前記アンプ装置は、
外部機器からの映像信号を受け付ける１つ以上の映像入力端子と、
外部機器からの音声信号を受け付ける１つ以上の音声入力端子と、
映像信号を前記映像音声処理装置に対して出力するための映像出力端子と、
音声信号を前記映像音声処理装置に対して出力するための音声出力端子と、
処理すべき映像信号が存在するか否かを判別する判別手段と、
前記判別手段により、処理すべき映像信号が存在すると判別された場合に、映像信号と音声信号とを前記映像出力端子と前記音声出力端子とを通じて前記映像音声処理装置に提供するようにし、映像信号が存在しないと判別された場合には、音声信号を自機内で処理するように、信号の提供先を選択する選択手段と、
前記映像音声処理装置で遅延処理された音声信号を受け付ける入力端子と
を備えることを特徴とする。
【００１２】
この請求項１に記載の発明の映像音声再生システムによれば、アンプ装置は、１つ以上の映像入力端子と１つ以上の音声入力端子とを備えており、外部機器から映像信号や音声信号の供給を受けることができるようにされている。
【００１３】
そして、判別手段により、処理すべき映像信号が存在する（供給された）と判別された場合には、選択手段によって、処理すべき映像信号と音声信号とが映像出力端子と音声出力端子とを通じて映像音声処理装置に供給するように、信号の供給経路が選択される。一方、判別手段により、処理すべき映像信号は存在しない（供給されていない）と判別された場合には、選択手段によって、処理すべき音声信号を自機内で処理するように、信号の供給経路が選択される。
【００１４】
これにより、同期を取って処理すべき、映像信号と音声信号との両方が存在する場合には、映像信号と音声信号との両方が映像音声処理装置に供給され、映像音声処理装置の遅延手段により、処理に時間のかからない信号を処理に時間のかかる信号の処理時間に応じて、自動的に、かつ、適正に遅延処理させることができる。
【００１５】
すなわち、同期を取って処理すべき映像信号と音声信号との同期を確保し、リップシンクのずれなどを発生させないようにして、映像信号と音声信号とを利用することができるようにされる。また、音声信号のみを処理する場合には、音声信号が遅延処理されることも無い。
【００１６】
また、請求項５に記載の発明の映像音声再生システムは、請求項１に記載の映像音声再生システムであって、
前記アンプ装置は、
映像信号と音声信号との両方あるいは一方の再生が可能な１つ以上の信号再生手段と、
前記信号再生手段が動作するようにされた場合に、処理すべき映像信号が再生するようにされているか否かを判別する第２の判別手段と、
前記第２の判別手段により、処理すべき映像信号が再生するようにされていると判別された場合に、再生するようにされた映像信号と音声信号とを前記映像出力端子と前記音声出力端子とを通じて前記映像音声処理装置に提供するようにし、処理すべき映像信号は再生するようにされていないと判別された場合には、再生するようにされた音声信号を自機内で処理するように、信号の提供先を選択する第２の選択手段と
を備えることを特徴とする。
【００１７】
この請求項５に記載の発明の映像音声再生システムによれば、アンプ装置は、種々の再生装置（プレーヤー）に相当する信号再生手段を備えており、信号再生手段が動作するようにされた場合に、第２の判別手段により、処理すべき映像信号が再生するようにされているか否かが判別される。
【００１８】
そして、第２の判別手段により、処理すべき映像信号が再生するようにされたと判別された場合には、選択手段によって、再生するようにされた、映像信号と音声信号とが映像出力端子と音声出力端子とを通じて映像音声処理装置に供給するように、信号の供給経路が選択される。一方、判別手段により、処理すべき映像信号は再生するようにされていないと判別された場合には、選択手段によって、再生するようにされた音声信号を自機内で処理するように、信号の供給経路が選択される。
【００１９】
これにより、同期を取って処理すべき、映像信号と音声信号との両方が再生するようにされた場合には、映像信号と音声信号との両方が映像音声処理装置に供給され、映像音声処理装置の遅延手段により、処理に時間のかからない信号を処理に時間のかかる信号の処理時間に応じて、自動的に、しかも適正に遅延処理させることができる。
【００２０】
すなわち、同期を取って処理すべき映像信号と音声信号とが信号再生手段により再生するようにされた場合に、それらの同期を確保し、リップシンクのずれなどを発生させないようにして、映像信号と音声信号とを利用することができるようにされる。また、音声信号のみが再生される場合には、その再生される音声信号が遅延処理されることも無い。
【発明の効果】
【００２１】
この発明によれば、処理対象の信号に対する遅延設定をユーザーが手動で行う必要を無くすことができる。これにより、リップシンクずれを発生させないようにするためのユーザー操作のわずらわしさを無くし、映像信号と音声信号とを同期を取って処理する必要がある場合に、それらの同期を確実に取ることができる。
【００２２】
また、信号に対する遅延処理は、映像音声処理装置の遅延手段によって行うようにするので、どのような映像音声処理装置を用いても、適切な遅延処理を施すことが可能になり、リップシンクのずれを生じさせないようにすることができる。また、アンプ装置に遅延手段を設ける必要もないようにすることができる。
【００２３】
また、音声遅延処理が必要か不必要かの判別を行うことにより、不要な遅延処理を行わないようにすることができる。
【発明を実施するための最良の形態】
【００２４】
以下、図を参照しながら、この発明によるシステム、装置の一実施の形態について説明する。以下に説明する実施の形態においては、映像音声再生装置としてデジタルテレビ放送信号の利用が可能なテレビ受像機と、ＣＤやＤＶＤの再生装置（プレーヤー）を内蔵したアンプ装置（プレーヤー内蔵アンプ装置）とにより構成するシステムにこの発明による映像音声再生システムを適用し、この映像音声再生システムに用いられるプレーヤー内蔵アンプ装置に、この発明によるアンプ装置を適用した場合を例にして説明する。
【００２５】
［映像音声再生システムの概要］
図１は、この実施の形態の映像音声再生システムの概要を説明するためのブロック図である。図１に示すように、この実施の形態の映像音声再生システムは、プレーヤー内蔵アンプ装置１と、テレビ受像機２とにより構成されたものである。プレーヤー内蔵アンプ装置１には、スピーカーＳＰが接続され、テレビ受像機２には、デジタル放送信号の受信アンテナＡＮＴが接続されている。
【００２６】
プレーヤー内蔵アンプ装置１は、詳しくは後述もするが、供給される音声データをデコードし、各種の効果を付加したり、増幅したりする処理を行うアンプ部１ＡＰと、ＤＶＤプレーヤーなどのプレーヤー部１ＰＹとを備えている。また、テレビ受像機２は、デジタルテレビ放送の受信選局が可能なテレビチューナ部２１と、モニター部（表示素子）２２とを備えている。
【００２７】
そして、テレビ受像機２のテレビチューナ部２１は、デジタルテレビ放送を受信選局し、映像データと音声データとを分離、デコードして、映像と音声とを再生できるようにするものである。しかし、放送番組を構成する映像データと音声データとでは、データ量や処理内容が異なる。このため、データ量が多く、処理内容も複雑になる映像データについての処理が、音声データについての処理に比べて時間がかかり、この処理時間の差がリップシンクのずれの発生原因になる。
【００２８】
そこで、テレビチューナ部２１は、音声遅延回路２１２を備え、映像データについての処理時間（映像処理時間）を考慮して、適切な時間分、音声データを遅延させることができるようにしている。この音声遅延回路２１２の機能により、受信選局されたデジタル放送信号により提供されるテレビ番組の映像と音声との間にリップシンクのずれを生じさせないようにしている。
【００２９】
そして、デジタルテレビ放送により提供されるテレビ放送番組だけでなく、プレーヤー内蔵アンプ装置１に内蔵されたプレーヤー部１ＰＹにおいて再生するようにされる映像データと音声データとのそれぞれに応じた映像と音声との間においても、あるいは、プレーヤー内蔵アンプ装置１に接続された各種のプレーヤーなどの外部機器３からの映像データと音声データとのそれぞれに応じた映像と音声との間においても、リップシンクのずれを生じさせることなく再生できるようにする必要がある。
【００３０】
このため、この実施の形態のプレーヤー内蔵アンプ装置１は、同期を取って処理すべき映像データと音声データとの両方を処理する場合には、映像データＶｄと音声データＡｕとの両方をテレビ受像機２に供給する。そして、音声データＡｕについては、テレビ受像機２側の音声遅延回路２１２において遅延処理するようにし、処理後の音声データＡｕＤの供給を受けて、デコードし、増幅してスピーカーＳＰに供給するようにする。
【００３１】
このようにすることによって、テレビ受像機２における映像データＶｄに対する処理にかかる時間分、音声データＡｕを遅延処理させることができ、テレビ受像機２のモニター部２２の表示画面に表示される映像と、プレーヤー内蔵アンプ装置１に接続されるスピーカーＳＰから放音される音声との同期を取り、リップシンクのずれを生じさせないようにしている。
【００３２】
なお、プレーヤー内蔵アンプ装置１に内蔵されるプレーヤー部には、あるいは、プレーヤー内蔵アンプ装置１に接続される外部機器には、音楽ＣＤ用のプレーヤーのように、基本的に、映像信号を再生することの無いものも存在する。しかし、音声信号のみを再生する場合には、リップシンクのずれを生じさせないようにするための遅延処理を行うことは無意味である。このため、音声信号だけを再生する場合には、再生対象の音声データＡｕをテレビ受像機２には供給せずに、アンプ部１ＡＰにおいて処理して、スピーカーＳＰに供給することができるようにしている。
【００３３】
このように、この実施の形態の映像音声再生システムにおいては、映像と音声とを同期をとって再生する場合には、テレビ受像機がもともと備える音声遅延回路を用いることにより、ユーザーの手を煩わせることなく、再生映像と再生音声との間にリップシンクのずれが生じることが無いようにし、また、音声データのみを再生する場合には、遅延処理を行うことなく適切に音声の再生を行うことができるようにしている。
【００３４】
［プレーヤー内蔵アンプ装置の構成例とその動作について］
次に、プレーヤー内蔵アンプ装置１の具体的な構成例とその動作について説明する。なお、上述したように、音声信号をテレビ受像機２を経由させるか否か、すなわち、音声信号について遅延処理が必要か否かを判別する方法には、以下に説明するように、（１）記録媒体情報を用いて判別する方法、（２）映像信号の有無を検出し、この検出結果に応じて判別する方法、（３）ファンクションキーにより選択された信号入力経路の映像入力端子の有無に応じて判別する方法が考えられる。
【００３５】
（１）の方法は、記録媒体情報を利用するので、内蔵プレーヤーで再生された信号を処理する場合に用いることができ、（２）、（３）の方法は、内蔵プレーヤーで再生された信号を処理する場合と、プレーヤー内蔵アンプ装置１に接続された外部機器からの信号を処理する場合との両方の場合に用いることができるものである。以下、上述した（１）、（２）、（３）の各方法毎に、その方法を用いたプレーヤー内蔵アンプ装置の構成と動作について説明する。
【００３６】
［（１）記録媒体情報を用いて判別する方法を用いる場合］
まず、記録媒体情報を用いて、処理対象の音声データに対して遅延処理が必要か否かを判別する方法を用いるプレーヤー内蔵アンプ装置１（Ａ）の構成例について説明する。図２は、この例のプレーヤー内蔵アンプ装置１装置（Ａ）を説明するためのブロック図である。
【００３７】
図２に示すように、プレーヤー内蔵アンプ装置１（Ａ）には、テレビ受像機２が接続されている。このテレビ受像機２は、デジタルテレビ放送の受信選局が可能であり、映像デコーダ２１１、音声遅延回路２１２を備えたテレビチューナ部２１と、モニター部２２とを備えたものである。そして、テレビチューナ部２１の音声遅延回路２１２に対しては、外部からの音声データの供給を受け付けるための入力端ｉｎと、外部に対して音声データを出力するための出力端ｏｕｔとが設けられているものである。
【００３８】
そして、この例のプレーヤー内蔵アンプ装置１（Ａ）は、図２に示すように、ＣＤ再生装置（ＣＤプレーヤー）１１、ＤＶＤ再生装置（ＤＶＤプレーヤー）１２、ＤＩＲ（Digital Audio Interface Receiver）１３、ＤＳＰ（Digital Signal Processor）１４、アンプ１５、制御部１６、５つのセレクタＳＬ１〜ＳＬ５を備えている。
【００３９】
また、この例のプレーヤー内蔵アンプ装置１（Ａ）は、図２に示すように、テレビチューナ部２１の音声遅延回路２１２に供給する音声データを出力するための音声信号出力端子Ａｏｔ１と、テレビチューナ部２の音声遅延回路２１２からの遅延処理後の音声データの供給を受け付ける音声信号入力端子Ａｉｎ２とを備えている。
【００４０】
さらに、この例のプレーヤー内蔵アンプ装置１（Ａ）は、図２に示したように、外部機器との接続端子として用いられる音声入力端子Ａｉｎ１、映像入力端子Ｖｉｎ１と、テレビチューナ部２１に供給する映像信号の出力端子Ｖｏｔと、外部機器に供給する音声信号の出力端子Ａｏｔ２とを備えたものである。なお、図２において、点線で示した信号経路が映像信号経路であり、実線で示した信号経路が音声信号経路である。
【００４１】
ここで、制御部１６は、ＣＰＵ（Central Processing Unit）１６１、ＲＯＭ（Read Only Memory）１６２、ＲＡＭ（Random Access Memory）１６３がＣＰＵバスによって接続され、マイクロコンピュータの構成とされたものであり、この例のプレーヤー内蔵アンプ装置１（Ａ）の各部を制御するものである。制御部１６は、セレクタＳＬ１〜Ｓ５の切り換え制御をも行うものである。
【００４２】
また、制御部１６には、図示しないが、ユーザーからの指示入力を受け付けるキー操作部や時計回路なども接続されており、ユーザーからの指示入力に応じて各部を制御したり、時計回路から現在時刻を取得して、図示しないＬＣＤに表示したりすることもできるものである。
【００４３】
ＤＩＲ１３は、音声データの入力端ａ、ｂ、ｃ、ｄと出力端とを有し、何れの入力端に供給された音声データを後段のＤＳＰ１４に供給するかを、制御部１６の制御により選択するものである。後述もするが、この例の場合、ＤＩＲ１３の入力端ａには、音声入力端子Ａｉｎ２を通じて供給されるテレビチューナ部２１の音声遅延回路２１２から出力される遅延処理済みの音声データが供給される。
【００４４】
また、ＤＩＲ１３の入力端ｂには、セレクタＳＬ１によって選択されたＣＤ再生装置部１１からの音声データが供給するようにされ、入力端ｃには、セレクタＳＬ２によって選択されたＤＶＤ再生装置部１２からの音声データが供給するようにされ、入力端ｄには、セレクタＳＬ３によって選択された外部機器３からの音声データが供給するようにされている。
【００４５】
ＤＳＰ１４は、ＤＩＲ１３から供給された音声データをデコードし、音質の調整など、音声データに対する種々の処理を行うとともに、この例の場合、デジタル音声データのアナログ信号への変換も行うものである。また、アンプ部１５は、制御部１６の制御に応じて、ＤＳＰ１４から供給される音声信号のレベルを調整するものである。
【００４６】
そして、セレクタＳＬ１は、ＣＤ再生装置部１１から出力された音声データＡ１を、遅延処理させるためにセレクタＳＬ４側に出力するか、遅延処理をしないようにＤＩＲ１３に供給するかを切り換えるものである。同様に、セレクタＳＬ２は、ＤＶＤ再生装置部１２から出力された音声データＡ２を、遅延処理させるためにセレクタＳＬ４側に出力するか、遅延処理をしないようにＤＩＲ１３に供給するかを切り換えるものである。同様に、音声入力端子Ａｉｎ１を通じて供給される外部機器からの音声データＡ３を、遅延処理させるためにセレクタＳＬ４側に出力するか、遅延処理をしないように、ＤＩＲ１３に供給するかを切り換えるものである。
【００４７】
また、セレクタＳＬ４は、セレクタＳＬ１によって選択されたＣＤ再生装置部１１からの音声データＡ１と、セレクタＳＬ２によって選択されたＤＶＤ再生装置部１２からの音声データＡ２と、セレクタＳＬ３によって選択された外部機器からの音声データＡ３とのうち、どれをテレビ受像機２のテレビチューナ部２１に搭載された音声遅延回路２１２に供給するかを切り換えるものである。
【００４８】
また、セレクタＳＬ５は、ＣＤ再生装置部１１からの映像データＶ１と、ＤＶＤ再生装置部１２からの映像データＶ２と、映像入力端子Ｖｉｎ１を通じて受け付けた外部機器からの映像データＶ３とのうち、どれをテレビ受像機２のテレビチューナ部２１に搭載された映像デコーダ２１１に供給するかを切り換えるものである。
【００４９】
そして、同期を取って処理すべき映像データと音声データとの両方を再生する場合においては、リップシンクのずれを生じさせないようにするため、映像データのデコード処理等にかかる時間を考慮した遅延処理を音声データに対して施す必要がある。このため、再生する信号が、同期を取って処理すべき映像データと音声データとであるか、音声データだけであるのかを正確に判別しなければならない。
【００５０】
この例のプレーヤー内蔵アンプ装置１（Ａ）には、図２に示したように、テレビ受像機２以外の外部機器は接続されていない。このような場合、再生する信号は、内蔵されたＣＤ再生装置部１１、ＤＶＤ再生装置部１２に装填されたＣＤやＤＶＤから読み出される信号だけである。
【００５１】
このため、この例のプレーヤー内蔵アンプ装置１（Ａ）においては、内蔵された各プレーヤーに装填されたＣＤやＤＶＤなどの記録媒体から、その記録媒体が、映像データと音声データとの両方が記録されているものか、あるいは、映像データと音声データとの両方が記録可能なものであるかを示す、記録媒体情報（ディスク情報）を読み出し、この読み出した記録媒体情報に基づいて、映像データと同期を取って再生すべき音声データが存在するか否かを判別する。
【００５２】
例えば、内蔵プレーヤーに装填された記録媒体から、媒体属性情報やフォーマット情報などの記録媒体情報を読み出し、その読み出した記録媒体情報が、「ＤＶＤ−Ｖｉｄｅｏ」や「Ｖｉｄｅｏ  ＣＤ」であることを示しているときには、映像データと音声データとの両方が記録された記録媒体であり、再生する音声データについては遅延処理が必要であると判別することができる。また、読み出した記録媒体情報が、例えば、音楽ＣＤである「ＣＤ−ＤＡ（CD Digital Audio）」であることを示しているときには、音声データが主に記録された記録媒体であり、音声データの遅延処理は必要ないと判別することができる。
【００５３】
そこで、この例のプレーヤー内蔵アンプ装置１（Ａ）においては、制御部１６がディスク情報判別部としての機能を備え、ＣＤ再生装置部１１やＤＶＤ再生装置部１２において、これらに装填されたディスク記録媒体から読み出された記録媒体情報の供給を受けて、映像データと音声データとの両方が記録された記録媒体か否かを判別し、その判別結果に基づいて、制御部１６が、セレクタＳＬ１あるいはセレクタＳＬ２を切り換えるようにしている。
【００５４】
この場合、セレクタＳＬ１とセレクタＳＬ２とのうちどちらを切り換えればよいか、また、セレクタＳＬ４、セレクタＳＬ５の切り換えは、ＣＤ再生装置部１１が動作するように指示されたか、ＤＶＤ再生装置部１２が動作するように指示されたかに応じて、制御部１６によって制御される。
【００５５】
例えば、ＣＤ再生装置部１１にＣＤが装填され、ＣＤ再生装置部１１が動作するように操作された場合には、これに応じて、セレクタ１、セレクタ４、セレクタ５が制御部１６によって切り換え制御される。
【００５６】
この場合、ＣＤ再生装置部１１に装填されたＣＤから読み出された記録媒体情報が、「Ｖｉｄｅｏ  ＣＤ」などの映像データを伴うものである場合には、制御部１６は、セレクタＳＬ１をセレクタＳＬ４に音声データＡ１を供給するように切り換えるとともに、セレクタＳＬ４をセレクタＳＬ１からの音声データＡ１を出力するように切り換え、セレクタＳＬ５をＣＤ再生装置部１１からの映像データＶ１を出力するように切り換える。
【００５７】
これによって、プレーヤー内蔵アンプ装置１（Ａ）のＣＤ再生装置部１１から出力された映像データＶ１がセレクタ５、映像出力端子Ｖｏｔを通じてテレビ受像機２の映像デコーダ２１１に供給され、ＣＤ再生装置部１１からの映像データに応じた映像がモニター部２２の表示画面に表示される。
【００５８】
また、ＣＤ再生装置部１１から出力された音声データＡ１が、セレクタＳＬ１、セレクタＳＬ４、音声出力端子Ａｏｔ１を通じて、テレビ受像機２のテレビチューナ部２１に搭載された音声遅延回路２１２に供給され、ここで映像データの処理に応じた時間分の遅延処理が行われた後、遅延処理された音声データが音声入力端子Ａｉｎ２を通じてプレーヤー内蔵アンプ装置１（Ａ）に戻され、ＤＩＲ１３、ＤＳＰ１４，アンプ１５を通じてスピーカーＳＰに供給され、ＣＤ再生装置部１１からの音声データＡ１に応じた音声が、スピーカーＳＰから放音される。
【００５９】
この場合、上述したように、ＣＤ再生装置部１１から出力された音声データＡ１は、ＣＤ再生装置部１１から出力された映像データＶ１に対するテレビ受像機２における映像デコーダ２１１における処理時間などの映像処理時間に応じて、テレビ受像機２の音声遅延回路２１２において適切に遅延処理が施されているので、再生映像と再生音声との間で、リップシンクのずれが発生しないようにされる。
【００６０】
なお、ＣＤ再生装置部１１において音楽ＣＤ（ＣＤ−ＤＡ）が再生するようにされた場合には、ＣＤ再生装置部１１からは音声データしか出力されないので、この場合には、セレクタＳＬ１が、ＣＤ再生装置部１１からの音声データＡ１をＤＩＲ１３に供給するように切り換えられ、音声データＡ１に対して遅延処理を施すことなく、ＤＩＲ１３、ＤＳＰ１４，アンプ１５を通じてスピーカーＳＰに供給され、ＣＤ再生装置部１１からの音声データＡ１に応じた音声が、スピーカーＳＰから放音される。すなわち、音声データに対する不必要な遅延処理を行うことがないようにしている。
【００６１】
また、ＤＶＤ再生装置部１２にＤＶＤが装填され、ＤＶＤ再生装置部１２が動作するように操作された場合には、これに応じて、セレクタ２、セレクタ４、セレクタ５が制御部１６によって切り換え制御される。
【００６２】
この場合、ＤＶＤ再生装置部１２に装填されたＤＶＤから読み出された記録媒体情報が、「ＤＶＤ−Ｖｉｄｅｏ」などの映像データを伴うものである場合には、制御部１６は、セレクタＳＬ２をセレクタＳＬ４に音声データＡ２を供給するように切り換えるとともに、セレクタＳＬ４をセレクタＳＬ２からの音声データＡ２を出力するように切り換え、セレクタＳＬ５をＤＶＤ再生装置部１２からの映像データＶ２を出力するように切り換える。
【００６３】
これによって、プレーヤー内蔵アンプ装置１（Ａ）のＤＶＤ再生装置部１２から出力された映像データＶ２がセレクタ５、映像出力端子Ｖｏｔを通じてテレビ受像機２の映像デコーダ２１１に供給され、ＤＶＤ再生装置部１２からの映像データに応じた映像がモニター部２２の表示画面に表示される。
【００６４】
また、ＤＶＤ再生装置部１２から出力された音声データＡ２が、セレクタＳＬ２、セレクタＳＬ４、音声出力端子Ａｏｔ１を通じて、テレビ受像機２のテレビチューナ部２１に搭載された音声遅延回路２１２に供給され、ここで映像データの処理に応じた時間分の遅延処理が行われた後、遅延処理された音声データが音声入力端子Ａｉｎ２を通じてプレーヤー内蔵アンプ装置１（Ａ）に戻され、ＤＩＲ１３、ＤＳＰ１４，アンプ１５を通じてスピーカーＳＰに供給され、ＣＤ再生装置部１１からの音声データＡ１に応じた音声が、スピーカーＳＰから放音される。
【００６５】
この場合、上述したように、ＤＶＤ再生装置部１２から出力された音声データＡ２は、ＤＶＤ再生装置部１２から出力された映像データＶ２に対するテレビ受像機２の主に映像デコーダ２１１における処理時間に応じて、テレビ受像機２の音声遅延回路２１２において適切に遅延処理が施されているので、再生映像と再生音声との間で、リップシンクのずれが発生しないようにされる。
【００６６】
なお、ＤＶＤ再生装置部１２において、例えば「ＤＶＤ−Ａｕｄｉｏ」などの主に音声データが記録されているＤＶＤが再生するようにされた場合には、ＤＶＤ再生装置部１２からは音声データしか出力されないと判断し、この場合には、セレクタＳＬ２が、ＤＶＤ再生装置部１２からの音声データＡ２をＤＩＲ１３に供給するように切り換えられ、音声データＡ２に対して遅延処理を施すことなく、ＤＩＲ１３、ＤＳＰ１４，アンプ１５を通じてスピーカーＳＰに供給され、ＤＶＤ再生装置部１２からの音声データＡ２に応じた音声が、スピーカーＳＰから放音される。すなわち、音声データに対する不必要な遅延処理を行うことがないようにしている。
【００６７】
また、図２に示したプレーヤー内蔵アンプ装置１（Ａ）において、ＤＶＤ再生装置部１２は、音楽専用のＤＶＤ−Ａｕｄｉｏを再生する場合についても考慮したが、ＤＶＤの場合、音声データだけが記録されている場合は少ないと考えられるので、セレクタＳＬ２を設けずに、ＤＶＤ再生装置部１２からの音声データＡ２を直接にセレクタＳＬ４に供給するように構成することも可能である。
【００６８】
［（２）映像信号の有無を検出し、この検出結果に応じて判別する方法を用いる場合］
次に、映像信号の有無を検出し、この検出結果に応じて、音声データに遅延処理が必要か否かを判別する方法を用いたプレーヤー内蔵アンプ装置１（Ｂ）の構成例に付いて説明する。図３は、この例のプレーヤー内蔵アンプ装置１（Ｂ）を説明するためのブロック図である。
【００６９】
この例の場合にも、プレーヤー内蔵アンプ装置１（Ｂ）には、テレビ受像機２が接続されている。このテレビ受像機２は、図２に示した例の場合と同様に、映像デコーダ２１１と音声遅延回路２１２を備えたテレビチューナ部２１と、モニター部２２とを備えたものであり、テレビチューナ部２１の音声遅延回路２１２は、外部から供給される音声データを受け付けて遅延処理を施し、その遅延処理した音声データを外部に出力することができるものである。
【００７０】
さらに、この図３に示す例の場合、プレーヤー内蔵アンプ装置１（Ｂ）には、外部機器３、外部機器４が接続されている。外部機器３は、例えばＤＶＤ再生装置など再生装置であり、外部機器４は、例えば、録音処理を行うことが可能なＭＤレコーダなどの装置である。
【００７１】
そして、図３に示すこの例のプレーヤー内蔵アンプ装置１（Ｂ）は、セレクタＳＬ５の後段に音声信号検出回路１７を設けた点を除けば、図２に示したプレーヤー内蔵アンプ装置１（Ａ）と同様に構成されたものである。このため、図３に示すこの例のプレーヤー内蔵アンプ装置１（Ｂ）において、図２に示したプレーヤー内蔵アンプ装置１（Ａ）と同様に構成される部分には、同じ参照符号を付し、その詳細な説明は省略することとする。なお、図３においても、点線で示した信号経路が映像信号経路であり、実線で示した信号経路が音声信号経路である。
【００７２】
図３に示したように、例えば、外部機器３としてＤＶＤ再生装置（ＤＶＤプレーヤー）が、プレーヤー内蔵アンプ装置１（Ｂ）に接続された場合、外部機器３からこれに装填されたＤＶＤから読み出される記録媒体情報を得ることはできない。記録媒体情報は、ＤＶＤプレーヤーである外部機器３内においてのみ用いられ、通常、外部に出力されることはない。
【００７３】
このため、外部機器３から音声データの供給を受けた場合に、これに遅延処理を施す必要があるか否かを適性に判断するために、セレクタＳＬ５の後段に、出力映像データが存在するか否かを検出するための映像信号検出回路１７を設けている。この映像信号検出回路１７は、これに供給される映像データ（映像信号）のレベルを監視し、所定レベル以上の信号が供給された場合に、音声データと同期を取って処理すべき映像データが存在すると判断し、映像信号が存在する旨の通知を制御部１６に対して行う。
【００７４】
すなわち、制御部１６に接続されたキー操作部を通じて、外部機器３から供給された信号を処理するようにする指示入力を受け付けると、制御部１６は、セレクタＳＬ５を切り換え制御し、映像入力端子Ｖｉｎ１を通じて供給を受け付けた外部機器３からの映像信号を映像信号検出回路１７、映像出力端子Ｖｏｔを通じてテレビ受像機２に供給するように切り換える。
【００７５】
そして、制御部１６は、映像信号検出回路１７からの通知（検出出力）を確認し、映像信号検出回路１７から映像信号が存在する旨の通知を受けた場合には、処理対象の音声データについては遅延処理が必要であると判断し、セレクタＳＬ３を映像入力端子Ｖｉｎを通じて供給された外部機器３からの映像信号Ｖ３をセレクタ４側に出力するように切り換えるとともに、セレクタＳＬ４を、セレクタＳＬ３から出力された音声データＡ３を手段出力するように切り換える。
【００７６】
これによって、映像入力端子Ｖｉｎ１を通じて受け付けた外部機器３からの映像データＶ３が、セレクタＳＬ５、映像信号検出回路１７、映像出力端子Ｖｏｔを通じてテレビ受像機２の映像デコーダ２１１に供給され、外部機器３からの映像データに応じた映像がモニター部２２の表示画面に表示される。
【００７７】
また、音声入力端子Ａｉｎ１を通じて受け付けた外部機器３からの音声データＡ３が、セレクタＳＬ３、セレクタＳＬ４、音声出力端子Ａｏｔ１を通じて、テレビ受像機２のテレビチューナ部２１に搭載された音声遅延回路２１２に供給され、ここで映像データの処理に応じた時間分の遅延処理が行われた後、遅延処理された音声データが音声入力端子Ａｉｎ２を通じてプレーヤー内蔵アンプ装置１（Ｂ）に戻され、ＤＩＲ１３、ＤＳＰ１４，アンプ１５を通じてスピーカーＳＰに供給され、ＣＤ再生装置部１１からの音声データＡ１に応じた音声が、スピーカーＳＰから放音される。
【００７８】
この場合、上述したように、外部機器３から出力された音声データＡ３は、外部機器３から出力された映像データＶ３に対するテレビ受像機２の主に映像デコーダ２１１における処理時間に応じて、テレビ受像機２の音声遅延回路２１２において適切に遅延処理が施されているので、再生映像と再生音声との間で、リップシンクのずれが発生しないようにされる。
【００７９】
なお、外部機器３から供給された信号を処理するようにする指示入力に応じて、セレクタＳＬ５を映像入力端子Ｖｉｎ１を通じて供給を受け付けた外部機器３からの映像信号を出力するように切り換えた後において、映像信号検出回路１７で映像信号が検出できなかったときには、外部機器３からは映像データは供給されていないので、制御部１６は、音声入力端子Ａｉｎ１を通じて受け付けた音声データをＤＩＲに供給するように切り換え、音声データについて遅延処理を施さないようにする。
【００８０】
すなわち、この場合には、セレクタＳＬ３が、外部機器３からの音声データＡ３をＤＩＲ１３に供給するように切り換えられ、音声データＡ３に対して遅延処理を施すことなく、ＤＩＲ１３、ＤＳＰ１４，アンプ１５を通じてスピーカーＳＰに供給され、外部機器３からの音声データＡ３に応じた音声が、スピーカーＳＰから放音される。すなわち、音声データに対する不必要な遅延処理を行うことが無いようにしている。したがって、外部機器３が例えばＣＤ−ＤＡプレーヤーである場合においては、音声データしか出力されないので、このような場合に再生される音声データに対して遅延処理を施すことが無いようにすることができる。
【００８１】
［（３）ファンクションキーにより選択された信号入力経路の映像入力端子の有無に応じて判別する方法を用いる場合］
次に、ファンクションキーにより選択された信号入力経路の映像入力端子の有無に応じて、音声データに遅延処理が必要か否かを判別する方法を用いたプレーヤー内蔵アンプ装置１（Ｃ）の構成例について説明する。図４は、この例のプレーヤー内蔵アンプ装置１（Ｃ）を説明するためのブロック図である。
【００８２】
この例の場合にも、プレーヤー内蔵アンプ装置１（Ｃ）には、テレビ受像機２が接続されている。このテレビ受像機２は、図２、図３に示した例の場合と同様に、映像デコーダ２１１と音声遅延回路２１２を備えたテレビチューナ部２１と、モニター部２２とを備えたものであり、テレビチューナ部２１の音声遅延回路２１２は、外部から供給される音声データを受け付けて遅延処理を施し、その遅延処理した音声データを外部に出力することができるものである。
【００８３】
さらに、この図４に示す例の場合においても、図３に示した例の場合と同様に、プレーヤー内蔵アンプ装置１（Ｃ）には、外部機器３、外部機器４が接続されている。外部機器３は、例えばＤＶＤ再生装置など再生装置であり、外部機器４は、例えば、録音処理を行うことが可能なＭＤレコーダなどの装置である。なお、図４においても、点線で示した信号経路が映像信号経路であり、実線で示した信号経路が音声信号経路である。
【００８４】
そして、図４に示すこの例のプレーヤー内蔵アンプ装置１（Ｃ）は、制御部１６に接続するようにされたファンクション選択部１８を設けるとともに、複数の信号入力経路として、音声入力端子Ａｉｎ１−１、Ａｉｎ１−２、Ａｉｎ１−３、映像入力端子Ｖｉｎ１−２、Ｖｉｎ１−３を設けたものである。これ以外の部分は、図２に示したプレーヤー内蔵アンプ装置１（Ａ）と同様に構成されたものである。このため、図４に示すこの例のプレーヤー内蔵アンプ装置１（Ｃ）において、図２に示したプレーヤー内蔵アンプ装置１（Ａ）と同様に構成される部分には、同じ参照符号を付し、その詳細な説明は省略することとする。
【００８５】
そして、上述もしたように、この例のプレーヤー内蔵アンプ装置１（Ｃ）には、複数の信号入力系路が設けられているが、接続を可能にする外部機器によって、映像入力端子と音声入力端子とをペアで設けるか、音声入力端子だけを設けるかが異なる。例えば、ＤＶＤプレーヤーなど、映像と音声を再生する機器用には、映像入力端子と音声入力端子とをペアで設ける必要があり、また、音楽ＣＤプレーヤーやラジオチューナなど音声のみを再生する機器用には、音声入力端子のみを設けておけばよいことになる。
【００８６】
このように、複数の外部機器に対する信号入力経路を設けるようにした場合、どの信号入力経路に接続された外部機器からの信号を処理するようにするかは、プレーヤー内蔵アンプ装置１（Ｃ）に設けられるキー操作部等のファンクション選択部を通じて行うことになる。このように、信号入力経路の選択キーが設けられ、ユーザーからの選択入力を受け付けるようにしている部分が、ファンクション選択部１８である。
【００８７】
そして、図５に示すように、各信号入力経路について、映像入力端子と音声入力端子との両方を備えるものか、音声入力端子のみを備えるものかを、制御部１６が把握しておくようにする。この例の場合、音声入力端子Ａｉｎ１−１が外部入力１に対するものであり、音声入力端子Ａｉｎ１−２、映像入力端子Ｖｉｎ１−２が外部入力２に対するものであり、音声入力端子Ａｉｎ１−３、映像入力端子Ｖｉｎ１−３が外部入力３に対するものである。
【００８８】
すなわち。図５に示した例の場合、外部入力１は、ＣＤプレーヤーやラジオチューナの接続を想定したものであり、音声入力端子Ａｉｎ１−１のみが設けられていることを示している。また、外部入力２は、ＤＶＤプレーヤーなどの接続を想定したものであり、映像入力端子Ｖｉｎ１−２と音声入力端子Ａｉｎ１−２との両方が設けられていることを示している。外部入力３はテレビチューナなどの接続を想定したものであり、映像入力端子Ｖｉｎ１−３と音声入力端子Ａｉｎ１−３との両方が設けられていることを示している。
【００８９】
そして、制御部１６は、ファンクション選択部１８を通じて受け付けたユーザーからの選択入力が、外部入力１、外部入力２、外部入力３の何れが選択されたかを検知する。そして、外部入力１が選択された場合には、供給される音声データの遅延処理は必要ないと判断し、外部入力２または外部入力３が選択された場合には、映像データと音声データとの両方が存在するため、音声データについては、映像データに対する処理にかかる時間を考慮した遅延処理が必要であると判断することができる。
【００９０】
具体的には、制御部１６は、ファンクション選択部１８を通じて受け付けたユーザーからの選択入力が、外部入力１を選択するものであると検知したときには、セレクタＳＬ３を音声入力端子Ａｉｎ１−１を通じて受け付けた音声データをＤＩＲ１３に供給するように切り換える。この場合、音声入力端子Ａｉｎ１−１を通じて供給された音声データに遅延処理が施されることがないようにされる。
【００９１】
また、制御部１６は、ファンクション選択部１８を通じて受け付けたユーザーからの選択入力が、外部入力２を選択するものであると検知したときには、セレクタＳＬ３を音声入力端子Ａｉｎ１−２を通じて受け付けた音声データをセレクタ４側に供給するように切り換えるとともに、セレクタ４をセレクタ３からの音声データを出力するように切り換える。また、同時に、制御部１６は、セレクタＳＬ５を映像入力端子Ｖｉｎ１−２を通じて受け付けた映像データを出力するように切り換える。
【００９２】
また、制御部１６は、ファンクション選択部１８を通じて受け付けたユーザーからの選択入力が、外部入力３を選択するものであると検知したときには、セレクタＳＬ３を音声入力端子Ａｉｎ１−３を通じて受け付けた音声データをセレクタ４側に供給するように切り換えるとともに、セレクタ４をセレクタ３からの音声データを出力するように切り換える。また、同時に、制御部１６は、セレクタＳＬ５を映像入力端子Ｖｉｎ１−３を通じて受け付けた映像データを出力するように切り換える。
【００９３】
このように、選択された信号入力経路が映像入力端子を備えるものである場合には、その選択された信号入力経路の音声入力端子を通じて供給を受ける音声データが、セレクタＳＬ３、セレクタＳＬ４、音声出力端子Ａｏｔ１を通じてテレビチューナ部２１の音声遅延回路２１２に供給された後、音声入力端子Ａｉｎ２を通じてプレーヤー内蔵アンプ装置１（Ｃ）に戻され、ＤＩＲ１３、ＤＳＰ１４、アンプ１５を通じてスピーカーＳＰに供給され、音声が放音するようにされる。
【００９４】
この場合、音声データは、映像データのテレビ受像機２における処理時間に応じて、音声遅延回路２１２で遅延処理されているので、当該映像データによる映像と当該音声データによる音声との間にリップシンクのずれを生じさせることも無い。
【００９５】
なお、図５に示した各信号入力経路の映像入力端子、音声入力端子の有無の管理は、制御部１６により行われ、図５に示した情報は、例えば、制御部１６のＲＯＭ１６２に記憶保持されているものである。また、図５に示した情報の場合、音声信号については、アナログ入力端子（ANALOG IN）と、光通信によりデジタル入力端子（OPTICAL IN）とがある場合に、どちらが利用可能であるかをも示すようにしているものである。
【００９６】
また、上述したように、音声データについて遅延処理が必要か否かを判別する場合に、（１）記録媒体情報を用いて判別する方法、（２）映像信号の有無を検出し、この検出結果に応じて判別する方法、（３）ファンクションキーにより選択された信号入力経路の映像入力端子の有無に応じて判別する方法を用いることが可能であり、（１）、（２）、（３）のそれぞれを個別に用いてもよいし、組み合わせて用いてもよい。また、以下に説明するように、（１）の方法、（２）の方法、（３）の方法の全部を使用できるようにしておき、場合に応じて使い分けるようにしてもよい。
【００９７】
［音声データに遅延処理が必要か否かの判別方法の使い分けについて］
図２、図３、図４を用いて説明したプレーヤー内蔵アンプ装置１（Ａ）の機能を備えるとともに、プレーヤー内蔵アンプ装置１（Ｂ）の機能と、プレーヤー内蔵アンプ１（Ｃ）との機能のうちのいずれかを備えるプレーヤー内蔵アンプ装置１を考える。すなわち、制御部１６は、ディスク情報の判別機能を備え、映像信号検出回路１７を有するか、あるいは、複数の信号入力経路が設けられ、これを選択するためのファンクション選択部１８も設けられており、図５を用いて説明したように、各信号入力系路毎に、映像入力端子の有無を制御部１６が把握しているものとする。
【００９８】
このようなプレーヤー内蔵アンプ装置１において、処理対象の音声データについて遅延処理が必要か否かを判別する場合の処理は、図６、図７、図８に示すように行うことができる。図６、図７、図８は、処理対象の音声データについて遅延処理が必要か否かを判別する場合の処理を説明するためのフローチャートである。この図６、図７、図８の処理は、プレーヤー内蔵アンプ装置１に電源が投入された後に、適宜のタイミングで実行するようにしたり、あるいは、ファンクション選択部１８の選択キーが操作されたタイミングで実行するようにしたり、また、ユーザーからキー操作部を通じて実行が指示された場合に、制御部１６のＣＰＵ１６１により実行するようにされる処理である。
【００９９】
まず、制御部１６は、自機が内蔵するＣＤ再生装置部１１やＤＶＤ再生装置部１２で音声データ等の再生が行うように指示されているか否かを判断する（ステップＳ１０１）。ステップＳ１０１の判断処理において、自機が内蔵する再生装置（プレーヤー）での再生が指示されていると判断したときには、制御部１６は、再生が指示された再生装置を制御し、装填されている記録媒体から所定の記録媒体情報を読み出して取得し、その記録媒体情報が、当該記録媒体が「ＤＶＤ」であることを示しているか、あるいは、「Ｖｉｄｅｏ  ＣＤ」であることを示しているか否か、すなわち、映像データを再生するか否かを判断する（ステップＳ１０２）。
【０１００】
ステップＳ１０２の判断処理において、再生対象の記録媒体が、「ＤＶＤ」か、あるいは、「Ｖｉｄｅｏ  ＣＤ」であると判断した場合には、映像データと音声データとを同期を取って再生する必要があるので、音声データに対して遅延処理が必要であると判断する（ステップＳ１０３）。ステップＳ１０２の判断処理において、再生対象の記録媒体が、「ＤＶＤ」でも、「Ｖｉｄｅｏ  ＣＤ」でもないと判断した場合には、音声データのみの再生であると判断して、音声データに対して遅延処理は不用であると判断する（ステップＳ１０４）。
【０１０１】
また、ステップＳ１０１の判断処理において、自機が内蔵する再生装置（プレーヤー）での再生が指示されていないと判断したときには、制御部１６は、図７に示す処理に進み、ＲＯＭ１６２などに保持している自己の機能情報から、自機は映像信号検出回路１７を備えたものか否かを判断する（ステップＳ２０１）。
【０１０２】
ステップＳ２０１の判断処理において、映像信号検出回路１７を備えていると判断したときには、映像信号検出回路１７からの検出出力を参照し、映像信号が入力されているか否かを判断する（ステップＳ２０２）。ステップＳ２０２の判断処理おいて、映像信号が入力されていると判断したときには、制御部１６は、映像データと音声データとを同期を取って再生する必要があるので、音声データに対して遅延処理が必要であると判断する（ステップＳ２０３）。ステップＳ２０２の判断処理において、映像信号が入力されていないと判断したときには、制御部１６は、音声データのみの再生であると判断して、音声データに対して遅延処理は不用であると判断する（ステップＳ２０４）。
【０１０３】
ステップＳ２０１の判断処理において、映像信号検出回路１７を備えていないと判断したときには、制御部１６は、ファンクション選択部１８を通じて選択されている信号入力経路に対する入力端子情報をＲＯＭ１６２から参照し、映像入力端子のあるファンクション（信号入力経路）が選択されているか否かを判断する（ステップＳ３０１）。
【０１０４】
ステップＳ３０１の判断処理において、映像入力端子のあるファンクション（信号入力経路）が選択されていると判断したときには、映像データと音声データとを同期を取って再生する必要があるので、音声データに対して遅延処理が必要であると判断する（ステップＳ３０２）。また、ステップＳ３０１の判断処理において、映像入力端子のあるファンクション（信号入力経路）は選択されていない（映像入力端子の無いファンクションが選択されている）と判断したときには、制御部１６は、音声データのみの再生であると判断して、音声データに対して遅延処理は不用であると判断する（ステップＳ３０３）。
【０１０５】
図６、図７、図８に示したように、プレーヤー内蔵アンプ装置１は、自機の動作状態、自己の有する機能などに基づいて、処理対象となっている音声データに対して、同期を取って処理すべき映像データが存在するか否かを適切かつ正確に検出し、同期を取って処理すべき映像データが存在すると判断した場合にのみ、処理対象の音声データに対して、映像データのついての処理時間に応じた時間分、遅延処理を自動的に施すことによって、同時に処理される映像データによる映像と音声データによる音声との間にリップシンクのずれが生じないようにすることができる。
【０１０６】
［プレーヤー内蔵アンプ装置の変形例について］
図２、図３、図４に示したプレーヤー内蔵アンプ装置においては、ＣＤ再生装置部１１、ＤＶＤ再生装置部１２の何れにおいても、映像データと音声データとを同期を取って再生する場合があり、また、音声データのみを再生する場合があるものとして説明した。
【０１０７】
しかし、実際には、ＤＶＤ再生装置部１２で再生されるＤＶＤは、音声データだけが記録されているものは少なく、同期を取って処理すべき映像データと音声データとからなる映像音声データ（ＡＶデータ）を処理する場合が殆どである。逆に、ＣＤ再生装置部１１で再生するＣＤは、殆どが音楽ＣＤ（ＣＤ−ＤＡ）である。すなわち、音声データしか処理されない。
【０１０８】
そこで、ＣＤ再生装置部１１においては音声データのみが再生され、ＤＶＤ再生装置部１２においては映像データと音声データとの両方が再生されるものとすれば、プレーヤー内蔵アンプ装置の構成を簡単化することができる。図９は、内蔵するＣＤ再生装置部１１は音声データのみを再生し、内蔵するＤＶＤ再生装置部１２は映像データと音声データとの両方を再生するものとした場合のプレーヤー内蔵アンプ装置の構成例を示すブロック図である。
【０１０９】
この図９に示すプレーヤー内蔵アンプ装置１（Ｄ）の場合にも、図２、図３、図４に示したプレーヤー内蔵アンプ装置と同様に構成される部分には、同じ参照符号を付し、その詳細な説明については省略する。また、制御部１６に接続されたキー操作部１９は、ファンクション選択部１８としての機能をも備えたものである。すなわち、キー操作部１９は、信号入力経路を選択するためのファンクションキーをも備えたものである。
【０１１０】
図９に示すように、ＣＤ再生装置部１１は、音声データしか再生しないので、その再生出力をＤＩＲ１３のみに供給するようにし、また、ＤＶＤ再生装置部１２は、映像データと音声データとを再生するものであるので、ＤＶＤ再生装置部１２からの音声データは、テレビ受像機２の音声遅延回路２１２に音声データを供給するための音声出力端子Ａｏｔ１に接続されたセレクタＳＬ６に供給され、ＤＶＤ再生装置部１２からの映像データは、テレビ受像機２の映像デコーダ２１１に映像データを供給するための映像出力端子Ｖｏｔの前段のセレクタＳＬ８に供給される。
【０１１１】
そして、セレクタＳＬ６は、ＤＶＤ再生装置部１２からの音声データを出力するか、セレクタＳＬ７を通じて供給される外部機器３からの音声データを出力するかを切り換えるものとして用いられ、セレクタＳＬ８は、ＤＶＤ再生装置部１２からの映像データを出力するか、映像入力端子Ｖｉｎ１を通じて供給された外部機器３からの映像データを出力するかを切り換えるものとして用いられる。
【０１１２】
この場合、ＤＶＤ再生装置部１２で再生が行うようにされた場合には、セレクタ８からはＤＶＤ再生装置部１２からの映像データが出力するように切り換えられ、映像信号検出回路１７、映像出力端子Ｖｏｔを通じてテレビ受像機２に供給され、映像デコーダで処理された映像データに応じた映像がモニター部２２の表示画面に表示される。
【０１１３】
また、この場合、セレクタ７からは、ＤＶＤ再生装置部１２からの音声データが出力され、音声出力端子Ａｏｔ１を通じて、テレビ受像機２の音声遅延回路２１２に供給され、ここで遅延処理された後、音声入力端子Ａｉｎ２を通じて、プレーヤー内蔵アンプ装置１（Ｄ）に戻され、これが、ＤＩＲ１３，ＤＳＰ１４、アンプ１５を通じてスピーカーＳＰに供給され、遅延処理された音声データに応じた音声が放音するようにされる。
【０１１４】
この場合、音声データは、テレビ受像機２の音声遅延回路２１２において、映像データの処理時間に応じた時間分の遅延処理が施されているので、再生映像と再生音声との間にリップシンクのずれが生じることが無い。
【０１１５】
また、外部機器３からの再生信号を処理する場合には、セレクタ７を映像入力端子Ｖｉｎからの映像データを出力するように切り換え、映像信号検出回路１７において、映像信号が検出できたか否かを判断し、検出できた場合には、セレクタ７を音声入力端子Ａｉｎ１を通じて供給を受けた外部機器３からの音声信号をセレクタＳＬ６に供給するように切り換え、セレクタＳＬ６をセレクタＳＬ７からの音声データを出力するように切り換える。
【０１１６】
これにより、セレクタ８からは外部機器３からの映像データが出力するようにされ、外部機器３からの映像データが、映像信号検出回路１７、映像出力端子Ｖｏｔを通じてテレビ受像機２に供給され、映像デコーダ２１１で処理された映像データに応じた映像がモニター部２２の表示画面に表示される。
【０１１７】
また、この場合、セレクタ７からは、外部機器３からの音声データが出力され、音声出力端子Ａｏｔ１を通じて、テレビ受像機２の音声遅延回路２１２に供給され、ここで遅延処理された後、音声入力端子Ａｉｎ２を通じて、プレーヤー内蔵アンプ装置１（Ｄ）に戻され、これが、ＤＩＲ１３，ＤＳＰ１４、アンプ１５を通じてスピーカーＳＰに供給され、遅延処理された音声データに応じた音声が放音するようにされる。
【０１１８】
この場合、音声データは、テレビ受像機２の音声遅延回路２１２において、映像データの処理時間に応じた時間分の遅延処理が施されているので、再生映像と再生音声との間にリップシンクのずれが生じることがない。
【０１１９】
また、セレクタＳＬ７を映像入力端子Ｖｉｎを通じて供給される外部機器３からの映像データを出力するように切り換えても、映像信号検出回路１７において、映像信号が検出されなかった場合には、同期を取って再生すべき映像データは無いと判断し、音声入力端子Ａｉｎ１を通じて供給された外部機器３からの音声データをＤＩＲ１３に供給するようにセレクタ７が切り換えられる。
【０１２０】
この場合には、外部機器３からの音声データは、遅延処理されることなく、ＤＩＲ１３を通じてＤＳＰ１４に供給され、ここで形成された音声信号がアンプ１５で増幅されてスピーカーＳＰに供給され、外部機器３からの音声データに応じた音声が放音される。この場合には、音声データに対して不必要な遅延処理を施すことも無く、適切かつ迅速に外部機器３からの音声データを再生して利用することができるようになる。
【０１２１】
［アンプ側の音声遅延回路を用いるようにした場合の例］
ところで、従来、アンプ装置側に音声遅延回路が搭載されているものも提供されている。このアンプ側の音声遅延回路を用いるようにすることももちろん可能である。図１０は、音声遅延回路を搭載したプレーヤー内蔵アンプ装置の構成例を説明するためのブロック図である。
【０１２２】
この図１０に示すプレーヤー内蔵アンプ装置１（Ｅ）においても、図２、図３、図４を用いて説明したプレーヤー内蔵アンプ装置と同様に構成される部分には、同じ参照符号を付し、その詳細な説明については省略することとする。また、図１０に示すテレビ受像機２、外部機器３、４もまた、図２、図３、図４に示したものと同様に構成されるものである。
【０１２３】
図１０に示すように、この例のプレーヤー内蔵アンプ装置１（Ｅ）もまた、ＣＤ再生装置部１１、ＤＶＤ再生装置部１２、ＤＩＲ１３、ＤＳＰ１４、アンプ１５、制御部１６、映像信号検出回路１７、ファンクション選択部１８を備えるものである。そして、この例のプレーヤー内蔵アンプ装置１（Ｅ）は、ＤＳＰ１４とアンプ１５との間に音声遅延回路２０が設けられたものである。
【０１２４】
また、プレーヤー内蔵アンプ装置１（Ｅ）は、セレクタＳＬ９、ＳＬ１０とを備えたものである。セレクタＳＬ９は、テレビ受像機２からの音声データと、外部機器３からの音声データとを切り換えるものであり、セレクタＳＬ１０は、出力する映像データを切り換えるものである。
【０１２５】
そして、ファンクション選択部１８を通じて、テレビ受像機２を利用するのか、外部機器５を利用するのか、内蔵のＣＤ再生装置部１１を利用するのか、内蔵のＤＶＤ再生装置部１２を利用するのかの選択入力に応じて、セレクタＳＬ９、セレクタＳＬ１０が、制御部１６により切り換えられる。
【０１２６】
すなわち、ファンクション選択部１８を通じて、テレビ受像機２を利用することが選択された場合には、制御部１６は、セレクタＳＬ９を音声入力端子Ａｉｎ２を通じて供給を受けるテレビ受像機からの音声データを出力するように切り換えるとともに、ＤＩＲ１３を入力端ｂに供給されたセレクタＳＬ９からの音声データを出力するように制御する。また、制御部１６は、例えば、セレクタＳＬ１０からは映像データを出力しないように制御する。
【０１２７】
また、外部機器５を利用することが選択された場合には、制御部１６は、セレクタＳＬ９を音声入力端子Ａｉｎ１を通じて供給を受ける外部機器５からの音声データを出力するように切り換えるとともに、ＤＩＲ１３を入力端ｂに供給されたセレクタＳＬ９からの音声データを出力するように制御する。また、制御部１６は、セレクタＳＬ１０からは、映像入力端子Ｖｉｎ１を通じて供給を受ける外部機器５からの映像データを出力するように切り換える。
【０１２８】
また、内蔵のＣＤ再生装置部１１を利用することが選択された場合には、制御部１６は、ＤＩＲ１３を入力端ａに供給されたＣＤ再生装置部１１からの音声データを出力するように制御する。また、制御部１６は、セレクタＳＬ１０からは、ＣＤ再生装置部１１からの映像データを出力するように切り換える。
【０１２９】
同様に、内蔵のＤＶＤ再生装置部１２を利用することが選択された場合には、制御部１６は、ＤＩＲ１３を入力端ｃに供給されたＤＶＤ再生装置部１２からの音声データを出力するように制御する。また、制御部１６は、セレクタＳＬ１０からは、ＤＶＤ再生装置部１２からの映像データを出力するように切り換える。
【０１３０】
そして、制御部１６は、図６、図７、図８を用いて説明したように、処理対象の音声データが映像データを伴うものか否か、すなわち、音声データと同期を取って処理すべき映像データが存在し、このプレーヤー内蔵アンプ装置１（Ｅ）から出力するようにされているか否かを判断する。
【０１３１】
音声データと同期を取って処理すべき映像データが存在し、このプレーヤー内蔵アンプ装置１（Ｅ）から出力するようにされていると判断したときには、制御部１６は、音声遅延回路２０を制御して、音声遅延処理を行うようにする。この場合、プレーヤー内蔵アンプ装置１（Ｅ）の制御部１６は、入力端子ＣＴを通じて供給を受ける、テレビ受像機２からの映像デコーダ２１１における処理時間などに応じた音声データの遅延量を示す情報に基づいて、音声遅延回路２０における音声データの遅延を適正に行うように制御することができるようにしている。
【０１３２】
もちろん、音声遅延回路２０の遅延量を、制御部１６に接続された図示しないキー操作部などを通じてユーザーが調整するようにすることも可能である。また、接続されたテレビ受像機２に応じて、音声データの遅延量を予めプレーヤー内蔵アンプ装置１（Ｅ）の音声遅延回路２０に設定するようにすることももちろん可能である。
【０１３３】
また、音声データと同期を取って処理すべき映像データは存在しないと判断したときには、制御部１６は、音声遅延回路２０を制御して、音声データに対して遅延音声遅延処理を行わないようにする。簡単には、音声遅延回路２０をバイパスするようにする。このようにすることによって、映像データと同期を取る必要が無い場合には、音声データに対して無駄に遅延処理を施すことも無いようにすることができる。
【０１３４】
しかしながら、この図１０に示す例の場合、テレビ受像機２側とプレーヤー内蔵アンプ装置１（Ｅ）との両方に音声遅延回路が設けられることになる。このため、図２、図３、図４に示したプレーヤー内蔵アンプ装置１（Ａ）、１（Ｂ）、１（Ｃ）のように、音声データについての遅延処理を一元的に行うようにすることができず、音声データの遅延処理について、ユーザーの調整作業が必要になる可能性がある。また、プレーヤー内蔵アンプ装置に音声遅延回路２０を設けなければならないので、その分のコストがかかることになる。
【０１３５】
したがって、テレビ受像機２側の音声遅延回路２１２を利用する図２、図３、図４に示したプレーヤー内蔵アンプ装置１（Ａ）、１（Ｂ）、１（Ｃ）の方が、映像データの処理時間に応じて、音声データに対して適正な遅延処理を施すことができるので、リップシンクのずれを生じさせない信頼性の高いシステムを構築することができる。
【０１３６】
[プレーヤーを内蔵しないアンプ装置単体への適用について]
上述した実施の形態においては、プレーヤー内蔵アンプ装置にこの発明を適用した場合を例にして説明したが、これに限るものではない。プレーヤーを内蔵しないアンプ装置にもこの発明を適用することができる。
【０１３７】
図１１は、プレーヤーを内蔵しないアンプ装置５にこの発明を適用した場合の例を説明するためのブロック図である。図１１に示すように、この例のオーディオアンプ装置（以下、単にアンプ装置という。）５は、ＤＩＲ５１、ＤＳＰ５２、アンプ部５３、制御部５４、ファンクション選択部５５、音声遅延回路５６、セレクタＳＬ１１、ＳＬ１２、ＳＬ１３を備えたものである。
【０１３８】
そして、図１１に示すように、複数の音声入力端子Ａｕ１〜Ａｕ５を備えると共に、複数の映像入力端子Ｖｄ１〜Ｖｄ３を備えたものである。音声入力端子と映像入力端子でその数が異なるのは、例えば、ＣＤプレーヤーなどの音声データのみを出力する外部機器と、ＤＶＤプレーヤーのような、音声データと映像データとの両方を出力する外部機器とを想定し、音声データのみを受け付ける入力系と、音声データと映像データとの両方を受け付ける入力系とを設けているためである。
【０１３９】
そして、セレクタＳＬ１１は、処理対象の音声データを選択するものであり、セレクタＳＬ１３は、処理対象の映像データを選択するものである。これらセレクタＳＬ１１とセレクタ１２とは、ファンクション選択部５５を通じて受け付けた、ユーザーからの外部機器の選択入力に応じて、制御部５４の制御により切り換えられる。
【０１４０】
また、セレクタＳＬ１２は、処理対象の音声データが映像データを伴うものか否か、すなわち、音声データと同期を取って処理すべき映像データが存在し、このアンプ装置５から出力するようにされているか否かに応じて、処理対象の音声データの供給先を選択するものである。
【０１４１】
すなわち、この図１１に示すアンプ装置５の場合にも、制御部５４は、図６、図７、図８を用いて説明したように、音声データと同期を取って処理すべき映像データが存在し、このプレーヤー内蔵アンプ装置１（Ｅ）から出力するようにされているか否かを判断する。そして、音声データと同期を取って処理すべき映像データが存在し、このアンプ装置５から出力するようにされていると判断した場合には、セレクタＳＬ１２を音声出力端子Ａｏｔ１を通じてテレビ受像機２側の音声遅延回路２１２に音声データを出力するように切り換え、そうでない場合には、セレクタＳＬ１２をＤＩＲ５１側に音声データを出力するように切り換える。
【０１４２】
これにより、音声入力端子Ａｕ１〜Ａｕ５、映像出力端子Ｖｄ１〜Ｖｄ３に接続された外部機器のうち、音声データと映像データとの両方を、アンプ装置５に供給してきた外部機器からの音声データについては、テレビ受像機２が内蔵する音声遅延回路２１２を用いて、音声データに対して遅延処理を施し、この遅延処理された音声データを、音声遅延回路２１２から音声入力端子Ａｉｎを通じて受け付けて、ＤＩＲ５１、ＤＳＰ５２、アンプ部５３を通じてスピーカーＳＰに供給し、遅延処理された音声データに応じた音声が放音するようにされる。
【０１４３】
この場合、音声データに対する遅延処理は、アンプ装置５を介してテレビ受像機２に供給される映像データに対する映像デコード処理などにかかる時間が考慮された分の遅延処理がテレビ受像機２の音声遅延回路２１２で自動的に行われるので、テレビ受像機２のモニター部２２の表示画面に表示される映像と、スピーカーＳＰから放音される音声との間にリップシンクのずれが生じることもないようにされる。
【０１４４】
なお、音声データと同期を取って処理すべき映像データが存在しないと判断したときには、音声データをＤＩＲ５１側に出力するように、制御部５４がセレクタ１２を切り換え制御するので、処理対象の音声データについては遅延処理が施されることなく、通常通りの再生処理が行うようにされる。すなわち、音声データと同期を取って処理すべき映像データが存在しない音声データについては、不要な遅延処理が行われることもない。
【０１４５】
このように、プレーヤーを内蔵しないアンプ装置の場合にも、処理対象の音声データと同期を取って処理すべき映像データの有無に応じて、テレビ受像機２側の音声遅延回路２１２において遅延処理を施すか否かを自動的に選択し、テレビ受像機２における映像データに対するデコード処理等に応じた時間分の遅延処理を自動的に施すようにすることができる。
【０１４６】
そして、上述したプレーヤー内蔵アンプ装置の場合にも、また、プレーヤーを内蔵しないアンプ装置の場合にも、映像音声処理装置であるテレビ受像機２がもともと備える音声遅延回路に音声データを供給し、遅延処理を施した音声データをプレーヤー内蔵アンプ装置、アンプ装置に戻す経路を設け、この音声遅延回路を経由する経路と、音声遅延回路を経由しない通常の経路とを設けようにする。
【０１４７】
そして、何れの経路を用いるかを、音声データと同期を取って処理する映像データが存在するか否かに応じて自動的に選択することにより、音声データと映像データとを同期を取って処理する場合に、映像データに対するデコード処理などにかかる時間に応じて、適正な時間分の遅延処理を音声データに対して自動的に施すことができるようにされる。
【０１４８】
しかも、音声遅延回路は、映像データを処理して映像を表示するようにするテレビ受像機などの映像音声処理装置にもともと設けられているものが用いられる。したがって、音声遅延回路における音声データに対する遅延量は、自機内において行われる映像デコード処理等にかかる時間を考慮した適切なものとされており、ユーザーが音声データに対する遅延量を設定したり、調整したりするなどの手間をかけることも一切ない。
【０１４９】
また、音声遅延回路を新たに設ける必要もないので、アンプ装置のコストアップにつながることもない。
【０１５０】
なお、上述の実施の形態においては、データ量が多くデコーダ処理も複雑な映像データに対する処理の方が、音声データに対する処理よりも時間がかかるため、映像データにかかる処理時間に応じて、音声データについて遅延させるようにした。しかし、これに限るものではない。
【０１５１】
例えば、５．１チャンネルやそれ以上のチャンネル数のいわゆるマルチチャンネル方式の音声データを処理する場合などにおいて、音声データに対する処理の方が、映像データに対する処理よりも時間がかかる場合には、映像データの方を、音声データに対する処理時間に応じて自動的に遅延させるようにすることもできる。
【０１５２】
このような場合には、テレビ受像機側に映像遅延回路を設け、同期を取って処理すべき音声データと映像データとの両方が存在する場合に、テレビ受像機２側で映像データについて遅延処理を行うようにしたり、また、アンプ装置側で遅延処理した映像データをテレビ受像機２に供給したりするようにすればよい。
【０１５３】
また、上述した実施の形態においては、テレビ受像機２とプレーヤー内蔵アンプ装置やアンプ装置との間、また、外部機器とプレーヤー内蔵アンプ装置やアンプ装置との間においては、デジタル音声データ、デジタル映像データを送受する場合を例にして説明したが、これに限るものではなく、各機器間においては、アナログ音声信号、アナログ映像信号を送受する場合においても、この発明を適用することができる。
【０１５４】
また、種々のデジタルインターフェースのように、音声データと映像データとがパケット化され、時分割多重されて提供されるような場合であっても、この発明を適用することができる。このような場合には、例えば、プレーヤー内蔵アンプ装置やアンプ装置において、音声データと映像データとを分離するようにし、映像データを伴う音声データの場合に、テレビ受像機２側の音声遅延回路２１２によって遅延処理した音声データを戻すように構成すればよい。
【０１５５】
また、上述した実施の形態においては、テレビ受像機２に内蔵された音声遅延回路を用いる場合を例にして説明したが、これに限るものではない。例えば、別体のデジタルテレビチューナとモニタ受像機が別個に設けられる場合もあると考えられるが、このような場合には、デジタルテレビチューナに内蔵された音声遅延回路を用いるようにすればよい。すなわち、映像音声処理装置としては、テレビ受像機やテレビチューナなどの映像信号と音声信号とを同期を取って処理する機器であって、音声遅延回路、あるいは、映像遅延回路を備えた種々の機器を用いるようにすることができる。
【０１５６】
また、音楽ＣＤのみを再生するＣＤプレーヤーであっても、操作ガイダンスなどの種々のメッセージを表示するための映像信号を形成し、これをテレビ受像機などに供給して、その表示画面に表示するようにすることを行うものもある。このような場合には、単に映像信号の有無を検出しただけでは、音声データと同期を取って処理すべき映像データが存在するか否かを正確に検知することができない場合もあると考えられる。
【０１５７】
このため、例えば、プレーヤー内蔵アンプ装置の制御部１６などにおいて形成されるメッセージ表示用の映像信号は、制御部１６において映像信号と見なさないようにすることによって、音声データと同期を取って処理する必要のない映像データ（映像信号）の存在を、音声データと同期を取って処理する必要のある映像データが存在すると誤検出することがないようにすることができる。
【０１５８】
また、上述した実施の形態においては、内蔵プレーヤーからの信号を処理する場合には、記録媒体情報を用いて、音声データと同期を取って処理すべき映像データが存在するか否かを判別するようにしたが、これに限るものではなく、例えば、外部機器等から供給される音声データや映像データ、あるいは、映像データ、音声データがパケット化されて多重化されて供給されるＡＶデータなどの場合、それらに含まれる情報に基づいて、音声データと同期を取って処理すべき映像データが存在するか否かを判別するようにしてもよい。
【図面の簡単な説明】
【０１５９】
【図１】この発明による映像音声再生システムを説明するためのブロック図である。
【図２】この発明による映像音声再生システムを説明するためのブロック図であって主にプレーヤー内蔵アンプ装置を説明するためのブロック図である。
【図３】この発明による映像音声再生システムを説明するためのブロック図であってプレーヤー内蔵アンプ装置の他の例を説明するためのブロック図である。
【図４】この発明による映像音声再生システムを説明するためのブロック図であってプレーヤー内蔵アンプ装置の他の例を説明するためのブロック図である。
【図５】各信号入力経路の映像入力端子、音声入力端子の有無の管理情報を説明するための図である。
【図６】処理対象の音声データについて遅延処理が必要か否かを判別する場合の処理を説明するためのフローチャートである。
【図７】図６に続くフローチャートである。
【図８】図７に続くフローチャートである。
【図９】プレーヤー内蔵アンプ装置についての他の構成例を説明するためのブロック図である。
【図１０】音声遅延回路を搭載したプレーヤー内蔵アンプ装置の構成例を説明するためのブロック図である。
【図１１】プレーヤーを内蔵しないアンプ装置５にこの発明を適用した場合の例を説明するためのブロック図である。
【図１２】従来の音声遅延回路の搭載例とその利用例について説明するための図である。
【符号の説明】
【０１６０】
１、１（Ａ）、１（Ｂ）、１（Ｃ）、１（Ｄ）、１（Ｅ）…プレーヤー内蔵アンプ装置、１１…ＣＤ再生装置、１２…ＤＶＤ再生装置、１３…ＤＩＲ、１４…ＤＳＰ、１５…アンプ部、１６…ＣＰＵ、１７…映像信号検出部、１８…ファンクション選択部、１９…キー操作部、２０…音声遅延回路、ＳＬ１〜ＳＬ１０…セレクタ、２…テレビ受像機、２１…テレビチューナ部、２１１…映像デコーダ、２１２…音声遅延回路、３、４…外部機器、５…アンプ装置、５１
…ＤＩＲ、５２…ＤＳＰ、５３…アンプ部、５４…制御部、５５…ファンクション選択部、ＳＬ１１〜ＳＬ１３…セレクタ、Ａｉｎ１、Ａｉｎ２…音声入力端子、Ｖｉｎ１…映像入力端子、Ａｏｔ１、Ａｏｔ２…音声出力端子、Ｖｏｔ…映像出力端子
【図１】
2005260653.tif 000003
【図２】
2005260653.tif 000004
【図３】
2005260653.tif 000005
【図４】
2005260653.tif 000006
【図５】
2005260653.tif 000007
【図６】
2005260653.tif 000008
【図７】
2005260653.tif 000009
【図８】
2005260653.tif 000010
【図９】
2005260653.tif 000011
【図１０】
2005260653.tif 000012
【図１１】
2005260653.tif 000013
【図１２】
2005260653.tif 000014